(57)【要約】【課題】出力対象の画像の特性に応じて画像を出力可能な画像処理技術を提供する。【解決手段】第１画像処理装置５２は、読み取り装置５１から出力された画像データによって表される原稿画像について、複数の判定領域に細分化し、判定領域毎に画像特徴を判定し、当該判定結果を付帯情報として出力すると共に、予め定めた特性に統一する各種画像処理を行って処理後の画像データを出力する。ＣＰＵ５３は、画像データ及び付帯情報をメモリ６４に記憶させる。記憶された画像データの再利用時にはＣＰＵ５３は、画像データの付帯情報を用いて、出力対象画像についてカラー判定を行った後、当該判定結果と画像データとを第２画像処理装置６６に出力して画像処理を指示する。【選択図】        図１
2010016703.tif 000002
【特許請求の範囲】
【請求項１】
原稿に表される画像である原稿画像を読み取る読取手段と、
前記読取手段が読み取った原稿画像を複数の判定領域に細分化する細分化手段と、
前記細分化手段が細分化した前記判定領域毎に画像特徴を判定する第１判定手段と、 
前記読取手段が読み取った原稿画像を表す画像データに対して第１画像処理を行う第１画像処理手段と、
前記読取手段が読み取った原稿画像を表す画像データに対して前記第１画像処理手段が前記第１画像処理を行った前記画像データを、前記判定領域毎の画像特徴を示す特徴情報と対応付けて記憶する記憶手段と、
前記記憶手段に記憶された前記画像データによって表される原稿画像に対する出力を指示すると共に、当該原稿画像のうち出力の対象となる出力対象画像を決定するための操作入力を受け付ける入力受付手段と、
前記入力受付手段が受け付けた前記操作入力に応じて、前記原稿画像のうち出力の対象となる出力対象画像を決定する決定手段と、
前記決定手段が決定した前記出力対象画像の画像特徴を、前記画像データに対応付けられて前記記憶手段に記憶されている前記特徴情報を用いて判定する第２判定手段と、
前記第２判定手段が判定した前記画像特徴に応じて、前記画像データに対して第２画像処理を行うことにより、前記出力対象画像を表す出力対象画像データを出力する第２画像処理手段とを備える
ことを特徴とする画像処理装置。
【請求項２】
前記第２判定手段は、前記出力対象画像を構成するための前記判定領域に対する前記特徴情報を用いて、当該出力対象画像の画像特徴を判定する
ことを特徴とする請求項１に記載の画像処理装置。
【請求項３】
前記第１判定手段は、前記原稿画像についての前記画像特徴として、前記判定領域毎に有彩画像であるか無彩画像であるかを判定し、
前記第２判定手段は、前記出力対象画像の前記画像特徴として、前記出力対象画像が有彩画像であるか無彩画像であるかを判定する
ことを特徴とする請求項１又は２に記載の画像処理装置。
【請求項４】
前記第１判定手段は、前記画像特徴として、前記原稿画像についての前記画像特徴として、前記判定領域毎に文字画像であるか写真画像であるかを判定し、
前記第２判定手段は、前記出力対象画像の前記画像特徴として、前記出力対象画像が文字画像であるか写真画像であるかを判定する
ことを特徴とする請求項１又は２に記載の画像処理装置。
【請求項５】
前記第１判定手段は、前記画像特徴として、前記原稿画像についての前記画像特徴として、白紙画像であるか否かを判定し、
前記第２判定手段は、前記出力対象画像の前記画像特徴として、前記出力対象画像が白紙画像であるか否かを判定する
ことを特徴とする請求項１又は２に記載の画像処理装置。
【請求項６】
前記第２判定手段は、前記出力対象画像を構成するための前記判定領域に対して前記記憶手段に記憶されている前記判定結果のうち少なくとも１つが、前記判定領域が有彩画像であることを示す場合、前記出力対象画像の画像特徴が有彩画像であると判定し、当該判定結果の全てが、前記判定領域が無彩画像であることを示す場合、前記出力対象画像の画像特徴が無彩画像であると判定する
ことを特徴とする請求項３に記載の画像処理装置。
【請求項７】
前記細分化手段は、前記原稿画像を複数の判定領域に細分化すると共に、各判定領域が原稿画像のどの部分に相当するかを示す判定領域情報を出力し、
前記記憶手段は、前記画像データを、前記判定領域毎の画像特徴を示す特徴情報及び前記判定領域情報と対応付けて記憶し、
前記判定領域情報を用いて、前記決定手段が決定した前記出力対象画像の画像特徴を構成するための前記判定領域を指定する判定領域指定情報を出力する情報出力手段を更に備え、
前記第２画像処理手段は、前記情報出力手段が出力した前記判定領域指定情報を用いて、前記画像データに対して第２画像処理を行うことにより、前記出力対象画像データを出力する
ことを特徴とする請求項１乃至６のいずれか一項に記載の画像処理装置。
【請求項８】
前記入力受付手段は、前記原稿画像に対する出力を指示すると共に、当該原稿画像のうち出力の対象となる出力対象画像を決定するための操作入力として、転写紙への出力を指示すると共に、当該原稿画像に対する変倍率を指定する操作入力を受け付け、
前記決定手段は、前記入力受付手段が受け付けた前記変倍率に応じて、前記原稿画像のうち出力の対象となる出力対象画像を決定する
ことを特徴とする請求項１乃至７のいずれか一項に記載の画像処理装置。
【請求項９】
前記細分化手段は、前記原稿画像を、定型の転写紙のサイズ間の変倍に応じた変倍率に対応する判定領域に細分化する
ことを特徴とする請求項１乃至８のいずれか一項に記載の画像処理装置。
【請求項１０】
前記入力受付手段は、前記原稿画像に対する出力を指示すると共に、当該原稿画像のうち出力の対象となる出力対象画像を決定するための操作入力として、外部装置への送信を指示すると共に、解像度及び読み取り範囲を指定する操作入力を受け付け、
前記決定手段は、前記入力受付手段が受け付けた前記解像度及び読み取り範囲に応じて、前記原稿画像のうち出力の対象となる出力対象画像を決定する
ことを特徴とする請求項１乃至９のいずれか一項に記載の画像処理装置。
【請求項１１】
前記第２判定手段の判定結果を書誌情報として前記画像データに対して付与すると共に、当該画像データを所定のフォーマットに変換することにより、画像ファイルを生成するフォーマット変換手段と、
前記フォーマット変換手段が生成した画像ファイルを外部装置へ送信する画像送信手段とを更に備える
ことを特徴とする請求項１０に記載の画像処理装置。
【請求項１２】
前記フォーマット変換手段は、前記画像データに対して圧縮を行う圧縮手段を有し、
前記圧縮手段は、前記第２判定手段の判定結果に応じた圧縮方法により、前記画像データに対して圧縮を行う
ことを特徴とする請求項１１に記載の画像処理装置。
【請求項１３】
前記第２画像処理手段が出力した画像データに基づいて作像を行い、作像された画像を転写紙に出力することにより、画像形成を行う画像形成手段を更に備える
ことを特徴とする請求項１乃至１２のいずれか一項に記載の画像処理装置。
【請求項１４】
読取手段と、細分化手段と、第１判定手段と、第１画像処理手段と、記憶制御手段と、入力受付手段と、決定手段と、第２判定手段と、第２画像処理手段とを備える画像処理装置で実行される画像処理方法であって、
前記読取手段が、原稿に表される画像である原稿画像を読み取る読取ステップと、
前記細分化手段が、前記読取ステップで読み取った原稿画像を複数の判定領域に細分化する細分化ステップと、
前記第１判定手段が、前記細分化ステップで細分化した前記判定領域毎に画像特徴を判定する第１判定ステップと、 
前記第１画像処理手段が、前記読取ステップで読み取った原稿画像を表す画像データに対して第１画像処理を行う第１画像処理ステップと、
前記記憶制御手段が、前記読取ステップで読み取った原稿画像を表す画像データに対して前記第１画像処理ステップで前記第１画像処理を行った前記画像データを、前記判定領域毎の画像特徴を示す特徴情報と対応付けて記憶手段に記憶させる記憶制御ステップと、
前記入力受付手段が、前記記憶手段に記憶された前記画像データによって表される原稿画像に対する出力を指示すると共に、当該原稿画像のうち出力の対象となる出力対象画像を決定するための操作入力を受け付ける入力受付ステップと、
前記決定手段が、記入力受付ステップで受け付けた前記操作入力に応じて、前記原稿画像のうち出力の対象となる出力対象画像を決定する決定ステップと、
前記第２判定手段が、前記決定ステップで決定した前記出力対象画像の画像特徴を、前記画像データに対応付けられて前記記憶手段に記憶されている前記特徴情報を用いて判定する第２判定ステップと、
前記第２画像処理手段が、前記第２判定ステップで判定した前記画像特徴に応じて、前記画像データに対して第２画像処理を行うことにより、前記出力対象画像を表す出力対象画像データを出力する第２画像処理ステップとを含む
ことを特徴とする画像処理方法。
【発明の詳細な説明】
【技術分野】
【０００１】
本発明は、画像の特性に応じて画像データに対して画像処理を行う画像処理装置及び画像処理方法に関する。
【背景技術】
【０００２】
従来より、例えば、デジタルカラー複写機におけるフルカラーコピーモードの作像プロセスはシアン（Ｃ）、マゼンタ（Ｍ）、イエロー（Ｙ）、及びブラック（Ｂｋ）の４つのそれぞれの基本色に関するコピープロセスを実行し、それらの色を一枚の転写紙上に出力する。また、単色コピーモードのコピープロセスを実行する場合には、１回のコピープロセスで一色の画像を転写紙上に出力する。従って、この種の複写機においては、フルカラーモードと単色モードとでは使用するトナーの量が大きく異なり、複写機の利用者がコピーに要するコストも大きく変わる。また、そのモードによっては、転写紙に出力される画像は大きく異なるため、利用者はカラーモードと単色モードとの切り替えに注意を払う必要があり、原稿に表れる画像（原稿画像）の種類に応じて動作モードを適宜切り換える操作を行わなければならない。この種の動作モードの切り換えの煩わしさを解消するために、原稿画像が有彩画像か無彩画像かを自動的に識別し、その識別結果に応じて複写機の動作モードを自動的に切り換える技術（自動カラー選択：ＡＣＳ）が知られている。しかしこのＡＣＳの判定が誤判定を起こした時、特に無彩画像を有彩画像として誤判定した時には、ＣＭＹBkの４版でコピープロセスが実行され、転写紙に出力される画像の色が利用者の期待する色と異なるだけではなく、コピーに要するコストや時間も大きくなってしまう。このため、精度の高い判定を行うことが求められている。
【０００３】
また、近年においては、デジタルカラー複写機は、複写機単体としてだけではなく、デジタル画像データを扱う他の装置との親和性が高まり、ファクシミリ機能、プリンタ機能、配信スキャナ機能などと融合し、複合機（MFP：Multi Function Printer）と呼ばれるようになっている。さらには、ＨＤＤ(Hard Disc Drive)等の記録メディアの大容量化や低コスト化が進んだことにより、大容量の記憶媒体がMFPに搭載されるようになってきている。この大容量の記憶媒体に、一度スキャンした原稿画像を蓄積したり、他の媒体より入力された画像を蓄積したりすることができる。蓄積されたこれらの画像は、再び読み出すことが可能であり、蓄積時とは異なる用途にも再利用することができる。例えば、原稿画像をスキャナで読取り、配信スキャナ機能で送信された画像をＨＤＤに蓄積しておけば、もう一度原稿画像をスキャナで読み取ることなく、原稿画像を読み取ったMFPとは異なるMFPに画像データを配信したり、転写紙に改めて出力をしたりすることができるようになる。更には、原稿画像のスキャン時には等倍で出力し、しかる後に同じ原稿画像を200％などの変倍率で拡大して出力したりすることもできる。
【０００４】
ところで、従来では、ＡＣＳを実行する際に原稿画像を読み取るための本スキャンを行う前に、ＡＣＳ用のプリスキャンを行う必要があった。しかし、近年の大容量の記憶媒体が搭載されるMFPの中には、ＡＣＳの判定結果と画像とを対応付けて記憶媒体に蓄積することにより、プレスキャンを行う回数を減少させ、生産性を図っているものがある（例えば、特許文献１〜３参照）。また、画像データを再利用すると宣言された場合には、画像データに対して予め定めた特性に統一する画像処理を施して記憶媒体に蓄積した後、再利用時には、メモリ装置に蓄積されている画像データに対して、出力先や処理モードに応じた画像処理を行うことにより、再利用性を向上させると共に、出力先や処理モードに対するユーザの要求に効率的に対応することを図る技術が提案されている（例えば、特許文献４参照）。また、画像データが再利用されることを考慮して、予め定めた特性に統一した画像データと共に当該画像データに対するＡＣＳの判定結果を付帯情報として記憶媒体に蓄積する技術も提案されている（例えば、特許文献５参照）。
【０００５】
【特許文献１】特開２００１−１１９５８９号公報
【特許文献２】特開平０３−６４２６７号公報
【特許文献３】特開２００２−３６９０１２号公報
【特許文献４】特開２００７−８８７８３号公報
【特許文献５】特開２００７−２５１８３５号公報
【発明の開示】
【発明が解決しようとする課題】
【０００６】
しかしながら、画像データの再利用時は、利用者の用途に応じて様々な変倍率で原稿画像を変倍して出力することがある。この場合、変倍率によっては、スキャンされた原稿画像の一部しか出力されない場合がある。この場合、原稿画像全体は有彩画像であっても、原稿画像の一部である出力対象の画像は無彩画像である場合がある。従って、この場合、特許文献１〜５の技術においては、記憶媒体に記憶されたＡＣＳの判定結果を用いると、転写紙に出力される画像の色が利用者の期待する色と異なるだけではなく、コピーに要するコストや時間も大きくなってしまう恐れがある。
【０００７】
本発明は、上記に鑑みてなされたものであって、出力対象の画像の特性に応じて画像を出力可能な画像処理装置及び画像処理方法を提供することを目的とする。
【課題を解決するための手段】
【０００８】
上述した課題を解決し、本発明は、画像処理装置であって、原稿に表される画像である原稿画像を読み取る読取手段と、前記読取手段が読み取った原稿画像を複数の判定領域に細分化する細分化手段と、前記細分化手段が細分化した前記判定領域毎に画像特徴を判定する第１判定手段と、前記読取手段が読み取った原稿画像を表す画像データに対して第１画像処理を行う第１画像処理手段と、前記読取手段が読み取った原稿画像を表す画像データに対して前記第１画像処理手段が前記第１画像処理を行った前記画像データを、前記判定領域毎の画像特徴を示す特徴情報と対応付けて記憶する記憶手段と、前記記憶手段に記憶された前記画像データによって表される原稿画像に対する出力を指示すると共に、当該原稿画像のうち出力の対象となる出力対象画像を決定するための操作入力を受け付ける入力受付手段と、前記入力受付手段が受け付けた前記操作入力に応じて、前記原稿画像のうち出力の対象となる出力対象画像を決定する決定手段と、前記決定手段が決定した前記出力対象画像の画像特徴を、前記画像データに対応付けられて前記記憶手段に記憶されている前記特徴情報を用いて判定する第２判定手段と、前記第２判定手段が判定した前記画像特徴に応じて、前記画像データに対して第２画像処理を行うことにより、前記出力対象画像を表す出力対象画像データを出力する第２画像処理手段とを備えることを特徴とする。
【０００９】
また、本発明は、読取手段と、細分化手段と、第１判定手段と、第１画像処理手段と、記憶制御手段と、入力受付手段と、決定手段と、第２判定手段と、第２画像処理手段とを備える画像処理装置で実行される画像処理方法であって、前記読取手段が、原稿に表される画像である原稿画像を読み取る読取ステップと、前記細分化手段が、前記読取ステップで読み取った原稿画像を複数の判定領域に細分化する細分化ステップと、前記第１判定手段が、前記細分化ステップで細分化した前記判定領域毎に画像特徴を判定する第１判定ステップと、前記第１画像処理手段が、前記読取ステップで読み取った原稿画像を表す画像データに対して第１画像処理を行う第１画像処理ステップと、前記記憶制御手段が、前記読取ステップで読み取った原稿画像を表す画像データに対して前記第１画像処理ステップで前記第１画像処理を行った前記画像データを、前記判定領域毎の画像特徴を示す特徴情報と対応付けて記憶手段に記憶させる記憶制御ステップと、前記入力受付手段が、前記記憶手段に記憶された前記画像データによって表される原稿画像に対する出力を指示すると共に、当該原稿画像のうち出力の対象となる出力対象画像を決定するための操作入力を受け付ける入力受付ステップと、前記決定手段が、記入力受付ステップで受け付けた前記操作入力に応じて、前記原稿画像のうち出力の対象となる出力対象画像を決定する決定ステップと、前記第２判定手段が、前記決定ステップで決定した前記出力対象画像の画像特徴を、前記画像データに対応付けられて前記記憶手段に記憶されている前記特徴情報を用いて判定する第２判定ステップと、前記第２画像処理手段が、前記第２判定ステップで判定した前記画像特徴に応じて、前記画像データに対して第２画像処理を行うことにより、前記出力対象画像を表す出力対象画像データを出力する第２画像処理ステップとを含むことを特徴とする。
【発明の効果】
【００１０】
本発明によれば、出力対象の画像の特性に応じて画像を出力可能になる。
【発明を実施するための最良の形態】
【００１１】
以下に添付図面を参照して、この発明にかかる画像処理装置及び画像処理方法の最良な実施の形態を詳細に説明する。
【００１２】
[第１の実施の形態]
（１）構成
図１は、本実施の形態にかかる画像形成装置の構成を示す図である。同図に示すように画像形成装置５０は、読み取り装置５１と、第１画像処理装置５２と、第２画像処理装置６６と、バス制御装置６７と、ＨＤＤ(Hard Disc Drive)６８と、ＣＰＵ（Central Processing Unit）５３と、メモリ５４と、プロッタＩ／Ｆ（Interface）装置５５と、プロッタ装置５６と、操作表示装置５７と、回線Ｉ／Ｆ装置５８と、外部Ｉ／Ｆ装置５９と、ＳＢ(South Bridge)６０と、ＲＯＭ（Read Only Memory）６１とを備える。
【００１３】
読み取り装置５１は、ＣＣＤ（Charge Coupled Device）光電変換素子からなるラインセンサとＡ／Ｄ（analog to digital）コンバータとそれらを駆動する駆動回路とを具備する（いずれも図示せず）。読み取り装置５１は、セットされた原稿に表される画像（原稿画像）をスキャンして、原稿画像の濃淡情報を得て、これを用いて、原稿画像を表しＲＧＢ毎に各８ビットで表現されるＲＧＢ形式の画像データを生成してこれを第１画像処理装置５２に出力する。ここでは読み取り装置５１の読取り解像度は６００ｄｐｉとするが解像度はこれに限るものではない。
【００１４】
第１画像処理装置５２は、読み取り装置５１から出力された画像データに対して、プロッタ装置５６と外部装置であるＰＣ６３との両方に利用可能となるようにその性質を統一するなどの各種画像処理を行い、処理後の画像データを出力する。また、第１画像処理装置５２は、読み取り装置５１から出力された画像データによって表される原稿画像について、複数の判定領域に細分化し、判定領域毎に画像特徴を判定し、当該判定結果を付帯情報として出力すると共に、予め定めた特性に統一する各種画像処理を行って処理後の画像データを出力する。尚、画像特徴とは、例えば、画像の色彩に関する特徴として有彩画像又は無彩画像、白紙原稿又はそれ以外などや、画像の画質に関する特徴として文字画像又は写真画像かなどの特徴である。ここでは、第１画像処理装置５２は、画像の特徴として、原稿画像について有彩画像であるか又は無彩画像であるかを判定する。特性とは、明度や鮮鋭性や色空間などのことである。また、第１画像処理装置５２は、後述する像域分離処理を行い、像域分離結果を出力する。第１画像処理装置５２の詳細な構成については後述する。
【００１５】
バス制御装置６７は、画像形成装置５０内で必要な画像データや制御コマンド等の各種データの送受信を行うデータバスの制御装置であり、複数種のバス規格間のブリッジ機能を有している。本実施の形態では、バス制御装置６７は、第１画像処理装置５２，第２画像処理装置６６及びＣＰＵ５３と汎用規格Ｉ／Ｆ７８で接続され、ＨＤＤ６８とＡＴＡバスで接続されてＡＳＩＣ化されている。汎用規格Ｉ／Ｆ７８とは、例えばＰＣＩ−Ｅｘｐｒｅｓｓバスである。そして、バス制御装置６７は、第１画像処理装置５２から出力された画像データ及びその付帯情報を対応付けてＨＤＤ６８に記憶させる。尚、付帯情報の詳細については後述する。ＨＤＤ６８は、各種データや各種プログラムを保存するための大型の記憶装置である。ＨＤＤ６８はここでは特に、画像データ及びその付帯情報を対応付けて記憶する。ＨＤＤ６８としては、例えば、ＩＤＥを拡張して規格化されているＡＴＡバス接続のハードディスクを使用することができる。
【００１６】
ＲＯＭ６１は、ブートプログラムやコピーやスキャンや画像処理を行うための各種プログラムや各種データを記憶する不揮発性メモリである。メモリ５４は、各種プログラムや各種データを一時的に記憶する揮発性メモリである。メモリ５４には、例えば、ＤＩＭＭ(Dual Inline Memory Module)やＨＤＤ(Hard Disk Drive)が使用される。このようなメモリ５４には、複数種のバス規格間をブリッジする際の処理の速度差を吸収するために一時的にやりとりする各種データが記憶されたり、ＣＰＵ５３が画像形成装置５０の制御を行う際に実行するプログラムやその実行時に用いる各種データが記憶されたりする。各種データとしては画像データが記憶される。従って、ＣＰＵ５３はメモリ５４に記憶された画像データを自由に読み出したり書き込んだりすることができる。ＣＰＵ５３は、当該画像形成装置５０全体を制御するマイクロプロセッサである。ＣＰＵ５３としては、例えば、近年普及してきたIntegrated CPUを用いる。Integrated CPUとは、ＣＰＵコア単体に様々な機能を追加したマイクロプロセッサである。具体的には、例えば、ＰＭＣ社のＲＭ１１１００をＣＰＵ５３として採用する。これには、ＰＣＩ−Ｅｘｐｒｅｓｓバスなどの各種汎用規格Ｉ／Ｆとの接続機能や、クロスバースイッチを使ってこれらの各種汎用規格Ｉ／Ｆ間を接続する機能がインテグレートされている。ＣＰＵ５３は、通常起動時にＲＯＭ６１に記憶されたブートプログラムを実行してシステムを起動し、その後は高速処理を行うため、高速にアクセス可能なメモリ５４にプログラムを展開してこれを実行することにより各種処理を行う。
【００１７】
第２画像処理装置６６は、ＣＰＵ５３及びバス制御装置６７を介して、圧縮画像データ及びその付帯情報と、出力対象画像に対するカラー判定結果と、出力対象画像を構成するための判定領域を指定する領域指定情報とを受け取ると、これらを用いて各種画像処理を行って処理後の画像データを出力する。第２画像処理装置６６の詳細な構成については後述する。
【００１８】
プロッタ装置５６は、画像データに基づいて作像を行い、作像された画像を転写紙に出力することにより、画像形成を行うプロッタである。例えば、プロッタ装置５６は、プロッタＩ／Ｆ装置５５を介して、ＣＭＹＫ形式に変換された画像データを受け取ると、レーザービームを用いた電子写真プロセスを使って、画像データによって表される画像を転写紙に出力する。プロッタＩ／Ｆ装置５５は、ＣＰＵ５３にインテグレードされた汎用規格Ｉ／Ｆ７８を介して、ＣＭＹＫ形式に変換された画像データをＣＰＵ５３から受け取ると、プロッタ装置５６に出力するバスブリッジ処理を行う。
【００１９】
ＳＢ６０は、ブリッジ機能を有する汎用の電子デバイスであり、ここでは、ＲＯＭ６１との間をブリッジしている。操作表示装置５７は、各種情報を表示するＬＣＤ（Liquid Crystal Display）などの表示装置と、キースイッチ等を具備し利用者からの操作入力を受け付ける操作装置とが一体的に構成されたものである。利用者の操作入力としては例えば画像のコピーや読み取りを指示するものや、コピー時の出力サイズや変倍率や画質モードの指定や、配信スキャナ時の解像度の指定や読み取り範囲の指定などがある。画質モードとは、出力対象の画像の画質の取り扱いを示すものである。画質モードとしては、例えば、出力対象の画像を文字画像として取り扱う文字モードや、出力対象の画像を写真画像として取り扱う写真モードなどがある。操作表示装置５７は、汎用規格Ｉ／Ｆ７８を介して、このような操作入力に応じた制御コマンドをＣＰＵ５３に出力したり、ＣＰＵ５３から表示対象として出力された情報を表示させたりする。
【００２０】
回線Ｉ／Ｆ装置５８は、汎用規格Ｉ／Ｆ７８と電話回線とを接続する装置である。この回線Ｉ／Ｆ装置５８により画像形成装置５０は電話回線を介して例えばＦＡＸ６２とファクシミリ通信を行って画像データの授受を行う。外部Ｉ／Ｆ装置５９は汎用規格Ｉ／Ｆ７８と外部装置とを接続する装置である。この外部Ｉ／Ｆ装置５９により画像形成装置５０は外部装置と接続されて各種データの授受を行う。外部装置としては、例えば、ＰＣ６３や、コンパクトフラッシュ（登録商標）カードやＳＤカード等の外部メディア６５である。外部Ｉ／Ｆ装置５９は、ＰＣ６３や、デジタル複合機であるＭＦＰ（図示せず）とは、イーサネット（登録商標）などのネットワーク（図示せず）を介して各種データの授受を行い、外部メディア６５とは外部メディアＩ／Ｆ（図示せず）を介して各種データの授受を行う。特に後述するスキャン配信の処理が行われる場合、例えば、ＰＣ６３などの外部装置には、読み取り装置５１で読み取られた原稿画像の全部又は一部を表す出力対象画像データが外部Ｉ／Ｆ装置５９を介して送信される。
【００２１】
次に、第１画像処理装置５２の詳細な構成について図２を用いて説明する。画像処理装置５２は、カラー判定部１００と、像域分離部１０１と、γ変換部１０２と、フィルタ処理部１０３と、色変換部１０４と、画像圧縮部１０５とを有する。γ変換部１０２には、読み取り装置５１から出力された画像データが入力される。γ変換部１０２は、入力された画像データの明るさを補正する。本実施の形態においては、γ変換部１０２は、反射率リニアな特性で読み取り装置５１から出力された画像データを、明度リニアな特性に補正する。そしてγ変換部１０２は、補正したＲＧＢ形式の画像データをフィルタ処理部１０３に出力する。
【００２２】
像域分離部１０１には、読み取り装置５１から出力されたＲＧＢ形式の画像データが入力される。像域分離部１０１は、入力された画像データに対して、像域分離処理を行う。具体的には、像域分離部１０１は、入力されたＲＧＢ形式の画像データによって表される原稿画像の線画領域を認識し、１スキャン分の中の線画領域の割合から、各画素が、文字領域又は絵柄領域、有彩領域又は無彩領域のいずれに属するのかを判別して、この判別結果を像域分離結果として出力する。
【００２３】
また、カラー判定部１００にも、読み取り装置５１から出力された画像データが入力される。カラー判定部１００は、入力されたＲＧＢ形式の画像データに対して、カラー判定処理を行う。具体的には、カラー判定部１００は、入力された画像データによって表される原稿画像の色を認識し、１スキャン分の原稿画像に表れる色が、白黒か白黒以外の色を含むか否か、即ち、画像が有彩画像か無彩画像かを判定する。特に本実施の形態においては、カラー判定部１００は、原稿画像について細分化された判定領域毎に、カラー判定処理を行う。図３は、原稿画像を例示する図である。同図において画像領域Ｇ１には、無彩画像のみで有彩画像が含まれておらず、画像領域Ｇ２には有彩画像が含まれているものとする。図４は、図３に例示した原稿画像を細分化した状態を例示する図である。同図において点線で区切られた矩形領域が各々判定領域となる。カラー判定部１００は、この判定領域毎にカラー判定処理を行い、各カラー判定結果を、各判定領域が原稿画像のいずれの部分に相当するかを示す判定領域情報と対応付けて出力する。尚、線画領域の認識方法及びカラー判定処理自体の方法については、例えば、特開２００３−４６７７２号公報に記載されているため、その詳細な説明は省略する。
【００２４】
フィルタ処理部１０３は、γ変換部１０２から出力されたＲＧＢ形式の画像データに対して、フィルタ処理を行い、その鮮鋭性を予め定めた特性に統一して出力する。本実施の形態では、例えば、図５に示すような基準チャートをスキャンしたときに、フィルタ処理部１０３は線数毎に予め定めたＭＴＦ特性値になるようにＭＴＦ特性値を補正する。また、このＭＴＦ特性値の補正に際しては、文字領域と絵柄領域とでは要求される特性値が異なるため、フィルタ処理部１０３は文字領域及び絵柄領域の各々に対して補正を行う。従って、ここでは、像域分離部１０１での像域分離結果に応じて、適切なフィルタ処理がなされる。
【００２５】
色変換部１０４は、フィルタ処理部１０３から出力された画像データに対して、プロッタ装置５６と外部装置であるＰＣ６３との両方に利用可能となるようにその性質を統一するように、予め定められたＲＧＢ空間に色変換をする。予め定められたＲＧＢ空間とは、例えば、ＣＩＥ-ＲＧＢ空間などである。そして、色変換部１０４は、色変換を行った画像データを出力する。画像圧縮部１０５は、色変換部１０４から出力された色変換後のＲＧＢ形式の画像データに対して、圧縮処理を行い、圧縮画像データを生成する。尚、画像圧縮部１０５は、例えば、メモリ５４やＨＤＤ６８の記憶容量の残容量を示す残容量情報を取得し、当該残容量情報に基づいて、その圧縮率を変更して画像データに対して圧縮処理を行うようにしても良い。
【００２６】
次に、ＣＰＵ５３が、ＲＯＭ６１やメモリ５４やＨＤＤ６８に記憶された各種プログラムを実行することにより本実施の形態において実現される特有の機能について説明する。ＣＰＵ５３は、第１画像処置装置５２において出力された圧縮画像データと、当該圧縮画像データの付帯情報として像域分離結果、判定領域が原稿画像のどの部分に相当するかを示す判定領域情報及び各判定領域に対するカラー判定結果とを、バス制御装置６７を介して受け取る。そして、ＣＰＵ５３は、操作表示装置５７を介して入力される利用者の操作入力に基づいて、出力対象の領域に相当する画像（出力対象画像という）を決定する。そして、ＣＰＵ５３は、画像データの付帯情報を用いて、当該出力対象画像の特徴として有彩画像か無彩画像かを判定するカラー判定を行う。そして、ＣＰＵ５３は、第２画像処理装置６６に処理をさせるべく、圧縮画像データ及びその付帯情報をメモリ５４から読み出してこれらを、バス制御装置６７を介して第２画像処理装置６６に出力する。また、ＣＰＵ５３は、出力対象画像に対するカラー判定結果と、出力対象画像を構成するための判定領域を指定する領域指定情報とバス制御装置６７を介して第２画像処理装置６６に出力する。
【００２７】
次に、第２画像処理装置６６の構成について図６を用いて説明する。第２画像処理装置６６は、画像伸張部１１０と、フィルタ処理部１１１と、色変換部１１２と、解像度変換部１１３と、γ変換部１１４と、中間調処理部１１５と、フォーマット変換部１１６とを備えている。第２画像処理装置６６には、第１画像処理装置５２で圧縮されＨＤＤ６８に記憶された圧縮画像データ及びその付帯情報と、領域指定情報とがＣＰＵ５３及びバス制御装置６７を介して入力される。画像伸張部１１０には圧縮画像データが入力され、画像伸張部１１０はこの圧縮画像データを伸張して出力する。フィルタ処理部１１１は、画像伸張部１１０から出力されたＲＧＢ形式の画像データについて、領域指定情報によって指定される判定領域から構成される出力対象画像に対して以下のフィルタ処理を行う。フィルタ処理部１１１は、当該出力対象画像の鮮鋭性を、プロッタ装置５６に出力する場合の再現性が良くなるように補正する。具体的には、フィルタ処理部１１１は、画像データの付帯情報に含まれる像域分離結果を参照して鮮鋭化処理や平滑化処理を行う。例えば、フィルタ処理部１１１は、文字領域では文字をくっきりとさせ判読性を高めるために鮮鋭化処理を行い、絵柄領域では画像を滑らかにするために平滑化処理を行う。第１画像処理装置５２の有するフィルタ処理部１０３は画像データの再利用性を高めるために、線数毎に予め定めたＭＴＦ特性値になるように変換するものであるのに対し、第２画像処理装置６６の有するフィルタ処理部１１１は、利用者の用途に応じた加工を行うための処理を行うものである。例えば、利用者が画質モードとして文字モードを指定した場合は鮮鋭化処理の程度を高め、写真モードを指定した場合は平滑化処理の程度を高める。そしてフィルタ処理部１１１は、補正後の出力対象画像を表す出力対象画像データを出力する。
【００２８】
色変換部１１２は、フィルタ処理部１１１から出力された出力対象画像データに対して出力対象に応じた色変換を行う。画像形成装置５０がコピー動作を行っており出力対象がプロッタ装置５６である場合は、色変換部１１２は、カラー判定結果に基づいて、ＲＧＢ各８ビットのからプロッタ装置５６における色空間であるＣＭＹＫ各８ビット又はＫのみ８ビット画像データに対して色変換を行う。また、画像形成装置５０が配信スキャナ動作を行っており出力対象がＰＣ６３等の外部装置である時は、例えば、ＣＩＥ-ＲＧＢ空間のＲＧＢ各８ビットから、モニタ表示に適した色空間であるＡｄｏｂｅ−ＲＧＢ色空間のＲＧＢ各８ビット又はグレースケール８ビット画像データへと色変換を行う。ここではＡｄｏｂｅ−ＲＧＢ色空間を例にあげたが、ｓＲＧＢ色空間など、その他の標準的な色空間に変換しても構わない。
【００２９】
解像度変換部１１３は、画像の拡大や縮小など画像を変倍する場合、操作表示装置５７を介して指定された変倍率に従って、色変換部１１２から出力された出力対象画像データに対して解像度の変換（変倍処理）を行う。そして、解像度変換部１１３は、変換後の出力対象画像データを出力する。尚、画像を変倍しない場合、解像度変換部１１３は、色変換部１１２から出力された出力対象画像データに対して変換を行わずにこれを出力する。γ変換部１１４は、出力対象画像データに対して、画像が出力される出力先の特性に応じて画像の階調特性を変換する。出力先がプロッタ装置５６である場合は、γ変換部１１４は、プロッタ装置５６の出力特性に応じて、画像の階調性を良好に保てるように階調特性を変換する。そして、解像度変換部１１３は、変換後の出力対象画像データを出力する。中間調処理部１１５は、解像度変換部１１３から出力されたＣＭＹＫ各８ビットの出力対象画像データ又はＫのみの８ビットの出力対象画像データに対してプロッタ装置５６の階調処理能力に従った階調数変換処理を行う。例えば、中間調処理部１１５は、解像度変換部１１３から出力されたＣＭＹＫ又はＫの各８ビットの出力対象画像データを、ＣＭＹＫ又はＫの各２ビットの画像データに疑似中間調処理の一つである誤差拡散法を用いて階調数変換処理を行う。そして、中間調処理部１１５は、処理後の出力対象画像データを出力する。尚、出力対象画像が多値画像である場合には、中間調処理部１１５は、解像度変換部１１３から出力された出力対象画像データに対して処理を行わずにこれを出力する。フォーマット変換部１１６は、中間調処理部１１５から出力された出力対象画像データに対して、画像の出力用途に応じてＪＰＥＧ圧縮やＭＭＲ圧縮などを行うなどのフォーマット変換を行う。
【００３０】
（２）動作
＜コピー処理＞
次に、本実施の形態にかかる画像形成装置５０の行うコピー処理の手順について図７を用いて説明する。利用者は、原稿を読み取り装置５１にセットし、コピーの設定に関する操作入力と、コピーの開始を指示する操作入力とを操作表示装置５７において行う。ここでは、コピーの設定に関し、変倍率の指定や出力サイズの指定や画質モードの指定などの指示なされ得る。また、ここでは、出力対象画像が有彩画像か無彩画像かを自動で判定するＡＣＳモードを設定する操作入力もなされるものとする。操作表示装置５７は利用者からの操作入力に応じて、コピーの設定やコピーの開始を指示する制御コマンドを生成してこれを、汎用規格Ｉ／Ｆ７８を介してＣＰＵ５３に出力する。ＣＰＵ５３は、操作入力に応じて生成された制御コマンドを受け付け、ＲＯＭ６１から各種プログラムを読み出して実行すると共に、制御コマンドに従って、コピーに必要な設定や処理を順次行う。まず、ＣＰＵ５３は、原稿画像の読み取りを読み取り装置５１に指示する（ステップＳ１）。読み取り装置５１は、当該指示に従い、原稿画像を読み取り、原稿画像を表すＲＧＢ形式の画像データを生成してこれを出力する（ステップＳ２）。出力された画像データは第１画像処理装置５２のγ変換部１０２、像域分離部１０１及びカラー判定部１００に入力される。γ変換部１０２は、上述したように、入力された画像データを補正して、補正後の画像データを出力する。また、像域分離部１０１は、上述したように、読み取り装置５１から入力された画像データによって表されるデータによって表される原稿画像の線画領域を認識し、１スキャン分の中の線画領域の割合から、各画素が、文字領域又は絵柄領域、有彩領域又は無彩領域のいずれに属するのかを判別して、この判別結果を像域分離結果として出力する。また、カラー判定部１００は、入力されたＲＧＢ形式の画像データによって表される原稿画像が有彩画像か無彩画像かを判定し、当該判定領域が原稿画像のどの部分に相当するかを示す判定領域情報及び当該判定領域に対する判定結果（カラー判定結果）を出力する（ステップＳ３）。
【００３１】
また、上述したように、フィルタ処理部１０３は、γ変換部１０２から出力されたＲＧＢ形式の画像データに対してフィルタ処理を行い、処理後の画像データを出力する。色変換部１０４は、フィルタ処理部１０３から出力された画像データに対して色変換を行い、色変換後の画像データを出力する。画像圧縮部１０５は、色変換部１０４から出力された色変換後のＲＧＢ形式の画像データに対して圧縮処理を行い、圧縮画像データを生成する（ステップＳ４）。
【００３２】
バス制御装置６７は、第１画像処理装置５２から出力された圧縮画像データをＣＰＵ５３に送ると共に、当該圧縮画像データの付帯情報として上述の像域分離結果、判定領域情報及び各判定領域に対するカラー判定結果をＣＰＵ５３に送る（ステップＳ５）。ＣＰＵ５３は、像域分離結果、判定領域情報及びカラー判定結果を付帯情報として圧縮画像データと対応付けてメモリ５４に記憶させる（ステップＳ６）。そして、ＣＰＵ５３は、当該圧縮画像データによって表される原稿画像に対し、変倍率の指定や出力サイズの指定の操作入力に応じて出力対象の領域に相当する画像（出力対象画像という）を決定する。そして、ここでは、ＡＣＳモードが設定されているから、ＣＰＵ５３は、当該圧縮画像データに対する付帯情報に含まれる判定領域情報及び各判定領域に対するカラー判定結果を用いて、出力対象画像が有彩画像か無彩画像かを以下のようにして判定する。ＣＰＵ５３は、当該出力対象画像を構成するための判定領域を選択し、当該判定領域に対応するカラー判定結果を参照して、出力対象画像が有彩画像であるか無彩画像であるかのカラー判定を行う。具体的には、ＣＰＵ５３は、出力対象画像を構成するために選択した全ての判定領域のうち、そのカラー判定結果が有彩画像であるものが１つでもあれば、出力対象画像が有彩画像であると判定し、カラー判定結果が全て無彩画像であれば、出力対象画像が無彩画像であると判定する（ステップＳ７）。
【００３３】
尚、変倍率が100%、即ち、等倍コピーを行う場合には、出力対象画像は原稿画像全体であり、出力対象画像を構成するための判定領域は、原稿画像を構成する全ての判定領域に相当することになる。変倍率が100%以下である場合、即ち、縮小コピーを行う場合も同様に、出力対象画像を構成するための判定領域は、原稿画像を構成する全ての判定領域に相当することになる。100%より大きい変倍率でコピーを行う場合、即ち、拡大コピーを行う場合に、原稿画像の一部が出力対象画像となる。例えば、変倍率が200％である場合、図８に例示されるように、判定領域のうち斜線が引かれた部分の判定領域のみが出力対象画像に含まれることになる。また、例えば原稿画像のサイズをＡ３サイズからＡ４サイズに変倍する場合変倍率は141％となる。この場合、図９に例示されるように、判定領域のうち斜線が引かれた部分の判定領域のみが出力対象画像に含まれることになる。このように変倍率に応じて異なる出力対象画像について、ＣＰＵ５３は、当該出力対象画像を構成する各判定領域に各々対するカラー判定結果を用いて、上述のようにして有彩画像であるか無彩画像であるかのカラー判定を行う。
【００３４】
次に、ＣＰＵ５３は、第２画像処理装置６６に処理をさせるべく、圧縮画像データ及びその付帯情報をメモリ５４から読み出してこれらをバス制御装置６７に送り（ステップＳ８）、バス制御装置６７はこれらを第２画像処理装置６６に出力する。また、ＣＰＵ５３は、出力対象画像に対するカラー判定結果と、出力対象画像を構成するための判定領域を指定する領域指定情報とバス制御装置６７を介して第２画像処理装置６６に出力する。このようにして、ＣＰＵ５３は、第２画像処置装置６６に処理を切り替える。また、ＣＰＵ５３は、出力サイズ及び画像モードのうち少なくとも１つを指定する操作入力があった場合、それを指定する設定指定情報をバス制御装置６７に送り、バス制御装置６７はこれを第２画像処理装置６６に出力する（ステップＳ９）。
【００３５】
第２画像処理装置６６の画像伸張部１１０は、ＣＰＵ５３及びバス制御装置６７を介して圧縮画像データを受け取るとこれを伸張して出力する。フィルタ処理部１１１は、画像伸張部１１０から出力された画像データのうち、領域指定情報によって指定される判定領域から構成される出力対象画像について、付帯情報に含まれる像域分離結果及び設定指定情報に基づいて、フィルタ処理を行い、処理後の出力対象画像データを出力する。具体的には、フィルタ処理部１１１は、出力対象画像に対して、設定指定情報において画質モードが文字モードに指定されている場合は鮮鋭化処理の程度を高め、写真モードが指定されている場合は平滑化処理の程度を高める。色変換部１１２は、フィルタ処理部１１１から出力されたＲＧＢ各８ビットの出力対象画像データに対して、ＣＰＵ５３から送られたカラー判定結果に基づいて、プロッタ装置５６における色空間に応じた色変換を行う。具体的には、色変換部１１２は、カラー判定結果が有彩画像である場合、出力対象画像データに対してＲＧＢ各８ビットからＣＭＹＫ各８ビットに色変換を行い、カラー判定結果が無彩画像である場合、出力対象画像データに対してＲＧＢ各８ビットからＫのみの各８ビットに色変換を行う。解像度変換部１１３は、変倍率が100%以外である場合、当該変倍率に従って、色変換部１１２から出力された出力対象画像データに対して変倍処理を行い、変換後の出力対象画像データをγ変換部１１４に出力する。γ変換部１１４は、画像が出力される出力先の特性に応じて画像の階調特性を変換し、変換後の出力対象画像データを出力する。中間調処理部１１５は、解像度変換部１１３から出力された出力対象画像データに対して、出力対象画像が２値画像であるか多値画像であるかに応じて階調数変換処理を適宜行い、処理の実行の有無に応じた出力対象画像データを出力する。フォーマット変換部１１６は、出力対象画像の出力用途が転写紙に出力することであるため、中間調処理部１１５から出力された出力対象画像データに対して処理を行わずにこれを出力する（ステップＳ１０）。ＣＰＵ５３は、フォーマット変換部１１６から出力された出力対象画像データを、バス制御装置６７を介して受け取りこれをメモリ５４に記憶させる（ステップＳ１１）。次いで、ＣＰＵ５３は、当該出力対象画像データをメモリ５４から読み出して、プロッタＩ／Ｆ装置５５を介してプロッタ装置５６に送る（ステップＳ１２）。プロッタ装置５６は、出力対象画像データを受け取ると、当該出力対象画像データの色空間であるＣＭＹＫ又はＫに応じて、当該出力対象画像データによって表される出力対象画像を形成しこれを転写紙に出力する。 この結果、出力対象画像がコピーされることになる。
【００３６】
例えば、変倍率が100%、即ち、等倍コピーを行う場合には、出力対象画像は有彩画像として出力される。また、変倍率が200％である場合、図１０に例示されるように、出力対象画像は無彩画像として出力される。また、変倍率が141％である場合、図１１に例示されるように、出力対象画像は無彩画像として出力される。
【００３７】
＜スキャナ配信処理＞ 
次に、画像形成装置５０が行うスキャナ配信処理の手順について図１２を用いて説明する。まず、利用者は原稿を読み取り装置５１にセットし、スキャナ配信の設定に関する操作入力と、スキャナ配信の開始を指示する操作入力とを操作表示装置５７において行う。ここでは、スキャナ配信の設定に関し、配信対象の外部装置（ここではＰＣ６３とする）や、配信対象の画像の解像度や読み取り範囲の指定などの指示がなされる。また、ここでも、ＡＣＳモードを設定する操作入力もなされるものとする。操作表示装置５７は利用者からの操作入力に応じて、スキャナ配信の設定やスキャナ配信の開始を指示する制御コマンドを生成してこれを、汎用規格Ｉ／Ｆ７８を介してＣＰＵ５３に出力する。ＣＰＵ５３は、操作入力に応じて生成された制御コマンドを受け付け、ＲＯＭ６１から各種プログラムを読み出して実行すると共に、制御コマンドに従って、スキャナ配信に必要な設定や処理を順次行う。まず、ＣＰＵ５３は、原稿画像の読み取りを読み取り装置５１に指示する（ステップＳ２０）。読み取り装置５１は、当該指示に従い、原稿画像を読み取り、原稿画像を表すＲＧＢ形式の画像データを生成してこれを出力する（ステップＳ２）。出力された画像データは第１画像処理装置５２のγ変換部１０２、像域分離部１０１及びカラー判定部１００に入力され、上述のコピー処理で説明したように、当該画像データに対して各部で各処理が行われる（ステップＳ３〜Ｓ４）。圧縮画像データ、上述の像域分離結果、判定領域情報及びカラー判定結果は、バス制御装置６７を介してＣＰＵ５３に入力される。ステップＳ５〜Ｓ７も上述のコピー処理と同様である。
【００３８】
次いで、ステップＳ７では、ＣＰＵ５３は、当該圧縮画像データによって表される原稿画像に対し配信対象の画像の解像度や読み取り範囲の指定の操作入力に応じて出力対象画像を決定する。尚、配信対象の画像の解像度や読み取り範囲の指定がない場合は、出力対象画像は原稿画像是全体に相当する。また、ここでは、ＡＣＳモードが設定されているから、ＣＰＵ５３は、判定領域情報及び各判定領域に対するカラー判定結果を用いて、出力対象画像が有彩画像か無彩画像かのカラー判定を上述のコピー処理と同様にして行う。そして、ＣＰＵ５３は、上述と同様にしてステップＳ８〜Ｓ９の処理を行う。
【００３９】
次いで、ステップＳ１０では、まず、第２画像処理装置６６の画像伸張部１１０は、ＣＰＵ５３及びバス制御装置６７を介して圧縮画像データを受け取るとこれを伸張して出力する。フィルタ処理部１１１は、画像伸張部１１０から出力されたＲＧＢ形式の画像データについて、領域指定情報によって指定される判定領域から構成される出力対象画像に対してフィルタ処理を行い、処理後の出力対象画像データを出力する。色変換部１１２は、フィルタ処理部１１１から出力されたＲＧＢ各８ビットの出力対象画像データに対して、ＣＰＵ５３から送られたカラー判定結果に基づいて、配信対象の外部装置であるＰＣ６３における色空間に応じた色変換を行う。具体的には、色変換部１１２は、カラー判定結果が有彩画像である場合、出力対象画像データに対してＲＧＢ各８ビットから多値のＲＧＢ形式に色変換を行い、出力対象画像が無有彩画像であることをカラー判定結果が示す場合、出力対象画像データに対してＲＧＢ各８ビットから多値のグレースケール又は２値のモノクロに色変換を行う。解像度変換部１１３は、色変換部１１２から出力された出力対象画像データをγ変換部１１４に出力する。γ変換部１１４は、画像が出力される出力先の特性に応じて画像の階調特性を変換し、変換後の出力対象画像データを出力する。中間調処理部１１５は、解像度変換部１１３から出力された出力対象画像データに対して、出力対象画像が２値画像であるか多値画像であるかに応じて階調数変換処理を適宜行い、処理の実行の有無に応じた出力対象画像データを出力する。フォーマット変換部１１６は、出力対象画像の出力用途がスキャナ配信であるため、中間調処理部１１５から出力された出力対象画像データに対してフォーマット変換を行い、変換後の出力対象画像データを出力する。ここでは、例えば、ＣＰＵ５３から送られたカラー判定結果が、出力対象画像が有彩画像であることを示す場合、フォーマット変換部１１６は、出力対象画像データに対してＪＰＥＧ圧縮を行い、圧縮後の出力対象画像データを出力する。また、カラー判定結果が、出力対象画像が無彩画像であることを示す場合であって、出力対象画像データが２値のモノクロに色変換されている場合、フォーマット変換部１１６は、出力対象画像データに対してＭＭＲ圧縮を行ってＴＩＦＦファイル形式の出力対象画像データを生成してこれを出力する。また、カラー判定結果が、出力対象画像が無彩画像であることを示す場合であって、出力対象画像データがグレースケールに色変換されている場合、フォーマット変換部１１６は、出力対象画像データに対してＪＰＥＧ圧縮を行って圧縮後の出力対象画像データを出力する。ＣＰＵ５３は、フォーマット変換部１１６から出力された出力対象画像データを、バス制御装置６７を介して受け取りこれをメモリ５４に記憶させる（ステップＳ１１）。次いで、ＣＰＵ５３は、当該出力対象画像データをメモリ５４から読み出して、外部Ｉ／Ｆ装置５９を介して、外部装置であるＰＣ６３に送信する（ステップＳ２１）。
【００４０】
＜画像蓄積処理＞
次に、画像形成装置５０が、コピー処理やスキャナ配信処理を行うことなく、画像蓄積処理のみを行う場合の処理の手順について図１３を用いて説明する。利用者は、原稿を読み取り装置５１にセットし、所望する画質モード等の設定に関する操作入力と、原稿画像の読み取り及び蓄積の開始を指示する操作入力とを操作表示装置５７において行う。尚、ここでは、画像の蓄積後に多種多様な目的で再利用できるように、最も汎用的な条件で原稿画像の読み取りを行う。即ち、原稿画像の読み取り倍率を等倍とする。操作表示装置５７は利用者からの操作入力に応じて、画質モード等の設定や原稿画像の読み取りの開始を指示する制御コマンドを生成してこれを、汎用規格Ｉ／Ｆ７８を介してＣＰＵ５３に出力する。ＣＰＵ５３は、操作入力に応じて生成された制御コマンドを受け付け、ＲＯＭ６１から各種プログラムを読み出して実行すると共に、制御コマンドに従って、原稿画像の読み取りに必要な設定や処理を順次行う（ステップＳ３０）。以降、ステップＳ２〜Ｓ４までは上述のスキャナ配信処理と同様である。その後、ステップＳ３１では、バス制御装置６７は、第１画像処理装置５２から出力された像域分離結果、判定領域情報及び各判定領域に対するカラー判定結果を付帯情報として圧縮画像データと対応付けてＨＤＤ６８に記憶させる。
【００４１】
＜コピー処理及び画像蓄積処理＞
次に、画像形成装置５０がコピー処理と画像蓄積処理とを同時に行う場合の処理の手順について図１４を用いて説明する。ステップＳ１〜Ｓ８の処理は上述のコピー処理と同様である。ステップＳ８の後、ステップＳ４０では、バス制御装置６７は、第１画像処理装置５２から出力された像域分離結果、判定領域情報及びカラー判定結果と圧縮画像データとを第２画像処理装置６６に送信する。このとき、バス制御装置６７は、像域分離結果、判定領域情報及び各判定領域に対するカラー判定結果を付帯情報として圧縮画像データをＨＤＤ６８に記憶させる。ステップＳ１０以降の処理は上述のコピー処理と同様である。これにより、画像形成装置５０はコピー処理と画像蓄積処理とを同時に行うことができる。
【００４２】
＜スキャナ配信処理及び画像蓄積処理＞
次に、画像形成装置５０がスキャナ配信処理と画像蓄積処理とを同時に行う場合の処理の手順について図１５を用いて説明する。ステップＳ２０，Ｓ２〜Ｓ８の処理は上述のスキャナ配信処理と同様である。ステップＳ４０の処理は、上述のコピー処理と画像蓄積処理とを同時に行う場合の処理と同様である。ステップＳ１０以降の処理は上述のスキャナ配信処理と同様である。これにより、画像形成装置５０はスキャナ配信処理と画像蓄積処理とを同時に行うことができる。
【００４３】
＜蓄積画像の再利用＞
次に、画像形成装置５０がＨＤＤ６８に記憶された画像データを再利用する場合の処理の概要について説明する。上述したようにＨＤＤ６８に記憶された画像データは、付帯情報と対応付けて記憶されている。原稿画像の蓄積時よりも時間が経過した場合でも、当該画像データを再利用することができる。まず、画像形成装置５０のＣＰＵ５３は、画像データの再利用時のユーザインターフェースとして表示画面を操作表示装置５７に表示させる。例えば、ＣＰＵ５３は、利用者の操作に応じて、当該操作時点でＨＤＤ６８に記憶されている画像データのデータ名、当該画像データの作成日時や更新日時、当該画像データによって表される画像の縮小画像であるサムネイル画像を表す表示画面を表示させる。利用者は、当該操作表示装置５７に表示された表示画面を閲覧することにより、どのような画像がＨＤＤ６８に蓄積されているかを確認することができる。そして、利用者は、当該表示画面において再利用したい画像データを選択する操作入力と共に、当該画像データに対する再利用処理の開始を指示する操作入力や、再利用処理に関する設定や所望する画質モードなどの操作入力を操作表示装置５７において行う。再利用処理としては、転写紙に画像を出力する処理やスキャナ配信処理などがある。その他、ここでは特に説明しないが、ＦＡＸ送信など他の処理であっても良い。
【００４４】
まず、画像形成装置５０が再利用処理として転写紙に画像を出力する処理を行う場合の処理の手順について図１６を用いて説明する。まず、画像形成装置５０のＣＰＵ５３は、画像データの再利用時のユーザインターフェースとして表示画面を操作表示装置５７に表示させる（ステップＳ５０）。当該画面において、利用者は、再利用処理として転写紙への出力の設定に関する操作入力と、転写紙への出力の開始を指示する操作入力とを操作表示装置５７において行う。転写紙に画像を出力する処理は、上述のコピー処理と略同様となる。このため、ここでは、転写紙への出力の設定に関し、上述のコピー処理において説明したように、変倍率の指定や出力サイズの指定や画質モードの指定などの指示なされ得る。また、ここでは、ＡＣＳモードが設定される。操作表示装置５７は利用者からの操作入力に応じて、転写紙への出力の設定や転写紙への出力の開始を指示する制御コマンドを生成してこれを、汎用規格Ｉ／Ｆ７８を介してＣＰＵ５３に出力する。ＣＰＵ５３は、操作入力に応じて生成された制御コマンドを受け付け、ＲＯＭ６１から各種プログラムを読み出して実行すると共に、制御コマンドに従って、転写紙への出力に必要な設定や処理を順次行う。そして、ＣＰＵ５３は、該当の画像データの読み出しをバス制御装置６７に指示する（ステップＳ５１）。バス制御装置６７は、当該指示に従い、該当の画像データ及び付帯情報をＨＤＤ６８から読み出しこれをＣＰＵ５３に送る（ステップＳ５２）。そして、ここでは、ＡＣＳモードが設定されているから、ステップＳ７では、ＣＰＵ５３は、上述のコピー処理と同様にして、該当の画像データ及び付帯情報と、変倍率とを用いて出力対象画像を決定する。
【００４５】
例えば、最初のコピー処理において、等倍でコピーされた、図３に例示したような原稿画像を表す画像データがＨＤＤ６８に記憶された後、当該画像データを用いてＡＣＳモードで200％の変倍率で原稿画像を出力する場合がある。この場合、200％の変倍率が指定されることにより、図８に示されるように、原稿画像のうち出力対象画像が決定される。そして、出力対象画像が決定されることにより、当該出力対象画像を構成する各判定領域の各々に対するカラー判定結果を用いることにより、出力対象画像のカラー判定を行うことができる。ステップＳ８以降の処理は上述したコピー処理と同様である。
【００４６】
また、画像形成装置５０が再利用処理としてスキャナ配信処理を行う場合の手順について図１７を用いて説明する。まず、画像形成装置５０のＣＰＵ５３は、画像データの再利用時のユーザインターフェースとして表示画面を操作表示装置５７に表示させる（ステップＳ５０）。当該画面において、利用者は、再利用処理としてスキャナ配信の開始を指示する操作入力や、所望する画質モード等の設定などの操作入力を操作表示装置５７において行う。ここでは、スキャナ配信の設定に関し、上述のスキャナ配信処理において説明したように、配信対象の外部装置（ここではＰＣ６３とする）や、配信対象の画像の解像度や読み取り範囲の指定などの指示がなされる。操作表示装置５７は利用者からの操作入力に応じて、スキャナ配信の設定やスキャナ配信の開始を指示する制御コマンドを生成してこれを、汎用規格Ｉ／Ｆ７８を介してＣＰＵ５３に出力する。ＣＰＵ５３は、操作入力に応じて生成された制御コマンドを受け付け、ＲＯＭ６１から各種プログラムを読み出して実行すると共に、制御コマンドに従って、スキャナ配信処理に必要な設定や処理を順次行う。そして、ＣＰＵ５３は、該当の画像データの読み出しをバス制御装置に６７に指示する（ステップＳ６０）。バス制御装置６７は、当該指示に従い、該当の画像データ及び付帯情報をＨＤＤ６８から読み出しこれをＣＰＵ５３に送る（ステップＳ５２）。そして、ここでは、ＡＣＳモードが設定されているから、ステップＳ７では、ＣＰＵ５３は、上述のスキャナ配信処理で説明したように、配信対象の画像の解像度や読み取り範囲に応じて出力対象画像を決定する。
【００４７】
例えば、上述のコピー処理及び画像蓄積処理でＡ３サイズの原稿画像をＡ３サイズの転写紙に等倍でコピーした後ＨＤＤ６８に蓄積された画像データに対してスキャナ配信処理をするとする。このとき、解像度として６００ｄｐｉが指定され、読み取り範囲としてＡ４横置きが指定されるものとする。この場合、例えば、図３に示される原稿画像に対して、図９に示される斜線部が出力対象画像になる。この場合、当該出力対象画像は無彩画像であることを示すカラー判定結果が得られる。ステップＳ８以降の処理は上述したスキャナ配信処理と同様である。
【００４８】
以上のようにして、第１画像処理装置５２は、読み取り装置５１から入力された画像データについて、プロッタ装置５６と外部装置であるＰＣ６３との両方に利用可能となるようにその性質を統一し、性質を統一した画像データをＨＤＤ６８に蓄積する。そして、第２画像処理装置６６が、プロッタ装置５６やＰＣ６３である出力先に適した性質の画像データに処理する。これにより、利用者が画像形成装置５０のＨＤＤ６８に蓄積した画像データを再利用する場合に、当該画像データの蓄積時に利用した形態とは異なる形態で再利用することも可能になる。
【００４９】
また、第１画像処理装置５２が、原稿画像を複数の判定領域に細分化し、各判定領域についてカラー判定を行い、各判定領域に対するカラー判定結果を、原稿画像を表す画像データと共に記憶する。そして、当該画像データの再利用時に、ＣＰＵ５３が、変倍率や、解像度や読み取り範囲に応じて出力対象画像を決定し、当該出力対象を構成する各判定領域に対するカラー判定結果を用いて、当該出力対象画像のカラー判定を行う。これにより、多種多様な再利用形態に適切に対応したカラー判定を行うことができる。この結果、処理コストや処理時間を低減したり、記憶容量を節約したりすることができ、画像データの再利用時の問題点を解決することが可能になる。
【００５０】
即ち、従来では、コピー処理やスキャナ配信処理を行った後画像データと、当該画像データによって表される原稿画像に対するカラー判定結果をＨＤＤなどに蓄積してこれを再利用する場合はあった。この場合、変倍率や解像度や読み取り範囲などの指定に応じて出力対象画像は、蓄積された画像データによって表される画像の一部である場合がある。この場合、当該画像データと共に蓄積された、原稿画像自体に対するカラー判定結果を用いて出力対象画像を出力すると、不必要に有彩画像として出力してしまうという問題が生じる恐れがあった。
【００５１】
例えば、上述の図３に例示されるように有彩画像を含む原稿画像を等倍で出力した後、当該原稿画像を表す画像データを用いて変倍率200%で拡大して画像を出力する場合、出力対象画像は図８に示されるように有彩画像を含まない。この場合、ＡＣＳモードでこの出力対象画像を出力する際に、原稿画像自体に対するカラー判定結果を用いると、有彩画像として出力してしまうことになる。また、図３に例示される原稿画像を表す画像データを再利用する際に当該原稿画像を等倍で出力する場合でも、原稿画像のサイズよりも小さなサイズの転写紙に出力する場合がある。例えば、Ａ３サイズの原稿画像をＡ４サイズの転写紙に出力する場合などである。この場合、図９に示すように、転写紙上に出力される対象の出力対象画像は、有彩画像を含まないことになる。この場合も、ＡＣＳモードでこの出力対象画像を出力する際に、原稿画像自体に対するカラー判定結果を用いると、有彩画像として出力してしまうことになる。また、スキャナ配信処理において、読み取り範囲として原稿画像よりも小さいサイズが指定された場合も同様である。
【００５２】
このように、原稿画像を表す画像データを再利用する場合、原稿画像の出力対象の領域に相当する出力対象画像は一意ではなく、変倍率や解像度や読み取り範囲などの指定に応じて異なる。このため、原稿画像自体のカラー判定結果を蓄積したとしても、ＡＣＳモードで画像データを再利用する時には、当該カラー判定結果を用いると誤判定の恐れがある。このため、本実施の形態においては、再利用時の出力対象画像が原稿画像のどの領域であっても正しいカラー判定結果を得られるように、原稿画像を判定領域に細分化して、各判定領域に対してカラー判定を行い、各判定領域に対するカラー判定結果を蓄積する。また、このカラー判定を、第２画像処理装置６６が行うフィルタ処理、色変換処理、γ変換処理などの各処理の前に行うため、カラー判定結果に応じて適切に各処理を行うことができる。また、像域分離結果なども付帯情報として蓄積することにより、ＨＤＤ６８に蓄積する画像データの品質を保ちつつ、ＨＤＤ６８の記憶容量を有効に活用することが可能になる。従って、このような構成によれば、蓄積された画像データを利用者が任意の方法で再利用することが可能になり、再利用時の処理コストや処理時間を低減したり、記憶容量を節約したりすることができるのである。
【００５３】
尚、読み取り装置５１で一度読み取った原稿画像を表す画像データに対してカラー判定処理を一度行った後、ＨＤＤ６８に記憶された画像データを再利用する場合、当該画像データを用いてカラー判定処理を再度行うことも考えられる。この場合、２度目のカラー判定処理の結果と１度目のカラー判定処理の結果とが異なる可能性があり、カラー判定処理の精度が低下する恐れがある。これに対し、本実施の形態によれば、一度行ったカラー判定処理の結果を用いることにより、再利用時の出力対象画像に対しても精度の高いカラー判定結果を得ることができる。
【００５４】
また、上述の実施の形態においては、スキャナ配信処理を行う場合、第２画像処理装置６６は、出力対象画像に対するカラー判定結果に応じて、ＪＰＥＧ圧縮又はＭＭＲ圧縮を行うことより、フォーマットを切り替える。これにより、必要以上に大きなサイズの画像データを外部装置に配信しないことにより、処理コストや処理時間を低減したり、記憶容量を節約したりすることができる。
【００５５】
尚、操作表示装置５７を介してＡＳＣモードを設定する操作入力がない場合、即ち、原稿画像を有彩画像又は無彩画像のいずれかで出力することを指示する操作入力があった場合、ＣＰＵ５３は、出力対象画像に対する上述のカラー判定を行わずに当該操作入力に応じて、出力対象画像の画像を出力すれば良い。
【００５６】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００５７】
＜変形例１＞
上述した実施の形態において、画像形成装置５０のＣＰＵ５３が実行する各種プログラムを、インターネット等のネットワークに接続されたコンピュータ上に格納し、ネットワーク経由でダウンロードさせることにより提供するように構成しても良い。また、当該各種プログラムを、インストール可能な形式又は実行可能な形式のファイルでＣＤ−ＲＯＭ、ＣＤ−Ｒ、ＤＶＤ（Digital Versatile Disk）等の光記録媒体、フレキシブルディスク（ＦＤ）等の磁気記録媒体、光磁気記録媒体、半導体記録媒体及び磁気テープ等のコンピュータで読み取り可能な記録媒体に記録して提供するように構成しても良い。また、各種プログラムの全部又は一部は、ＯＳ（オペレーティングシステム）に組み込まれていても良いし、ＯＳとして機能するように構成しても良い。
【００５８】
また、上述した実施の形態においては、第１画像処理装置５２及び第２画像処理装置６６をハードウェアにより構成したが、これらのうち少なくとも一方によって実現される機能が、ＣＰＵ５３がプログラムを実行することにより実現されるように構成しても良い。
【００５９】
また、上述した実施の形態においては、カラー判定部１００が第１画像処理装置５２に含まれるように構成したが、第１画像処理装置５２に含まれないように構成しても良い。
【００６０】
また、上述した実施の形態においては、フォーマット変換部１１６が第２画像処理装置６６に含まれるように構成したが、第１画像処理装置５２に含まれないように構成しても良い。
【００６１】
また、画像形成装置５０として複合機に適用した例を示したが、これに限定されるものではなく、複写機、プリンタ、ファクシミリ等にも適用することが可能である。また、画像形成装置５０は、複数の機器（例えば、ホストコンピュータ、インターフェース機器、スキャナ、プリンタ等）から構成されるシステムに適用しても、１つの機器から構成される装置（ホストコンピュータ等）に適用しても良い。
【００６２】
＜変形例２＞
上述した実施の形態においては、図４に示したように、原稿画像における判定領域の細分化を主走査方向に８等分、副走査方向に１０等分した。しかし、この分割数はこの値に限るものではない。判定領域の細分化はこの分割数が多いほど多種多様な再利用形態に対応できるようになる。
【００６３】
また、判定領域の細分化の分割数を、操作表示装置５７を介して利用者が選択できるようにしても良い。上述の実施の形態においては、（主走査分割数、副走査分割数）＝（８、１０）であるが、例えば、これを（４、５）、（６、８）、（８、１０）、（１６、２０）、（３２、４０）の５段階で選択できるようにしても良い。この場合、第１画像処理装置５２は、利用者が選択した分割数に応じて原稿画像を判定領域に分割して、上述と同様にして各判定領域に対してカラー判定を行えば良い。このように、判定領域の細分化の程度を必要に応じて変化させることができることにより、ＨＤＤ６８に蓄積された画像データをＡＣＳモードで再利用する時の処理時間やＨＤＤ６８の記憶容量に応じて、再利用形態への対応力を適切に変更することができる。つまり、判定領域とカラー判定結果との組を全てＨＤＤ６８に記憶するため、判定領域を細分化しすぎると、極めて大容量のＨＤＤが必要とされ、また、出力対象画像を構成する判定領域及びそのカラー判定結果を求めるための処理時間が増大するという問題が生じる恐れがある。しかし、本変形例のように、判定領域の細分化の分割数を選択することができることにより、このような問題の発生を抑制することが可能になり、生産性の低下を抑制することが可能になる。
【００６４】
＜変形例３＞
上述した実施の形態においては、原稿画像の全域において各判定領域に細分化した。しかし、例えば、定型の転写紙のサイズ間の変倍率に各々応じた判定領域を設定するように構成しても良い。拡大や縮小のコピーが定型の転写紙のサイズ間で行われることが多いからである。例えば、Ａ３サイズからＡ４にサイズに縮小したり（変倍率71％）、Ａ４サイズからＡ３サイズに拡大したり（変倍率141％）、Ｂ５サイズからＡ４サイズに拡大したり（変倍率115％）することが行われる。このため、最も使用頻度の高い変倍率として、例えば、50％、61％、71％、82％、87％、100％、115％、122％、141％、200％などの予め設定された各変倍率に対応する判定領域を各々設定する。図１８は、これらの変倍率のうち、200％、141％、115％及び100％の各変倍率に対応する判定領域を例示する図である。点線で区切られた矩形領域が、変倍率200%に対応する判定対象領域Ｒ１である。判定領域Ｒ１を含み一点鎖線で区切られた矩形領域が、変倍率141％に対応する判定対象領域Ｒ２である。判定領域Ｒ１〜Ｒ２を含み二点鎖線で区切られた矩形領域が、変倍率115％に対応する判定対象領域Ｒ３である。判定領域Ｒ１〜Ｒ３を含み実線で囲まれた矩形領域が、変倍率100％に対応する判定対象領域Ｒ４であり、原稿画像に相当する。この場合、第１画像処理装置５２は、判定領域Ｒ１，Ｒ２に対して無彩画像であると各々判定し、判定領域Ｒ３，Ｒ４に対して有彩画像であると各々判定することになる。例えば、Ｂ５サイズからＡ４サイズに拡大する、即ち、変倍率115％にする操作入力が行われた場合には、ＣＰＵ５３は、判定領域Ｒ３を出力対象画像として決定し、当該判定領域Ｒ３が有彩画像であるというカラー判定結果を、当該出力対象画像のカラー判定結果とする。そして、例えば、上述と同様にしてコピー処理が行われることにより、図１９に示されるような画像が出力される。尚、変倍率が141%である場合には、図１１に示されるような画像が出力される。変倍率が200%である場合には、図１０に示されるような画像が出力される。
【００６５】
以上のように、利用者が再利用時に使用する頻度の高い状況に対応する判定領域を設定し、当該判定領域に対するカラー判定結果を各々記憶することにより、ＨＤＤ６８に記憶された画像データをＡＣＳモードで再利用する。このような構成によれば、ＨＤＤ６８において必要な記憶容量も少なくて済む。また、出力対象画像に応じた判定領域及びカラー判定結果を求めるための処理時間も少なくて済むため、生産性の低下を抑制することができる。
【００６６】
＜変形例４＞
上述した実施の形態においては、第２画像処理装置６６のフォーマット変換部１１６は、中間調処理部１１５から出力された画像データに対して、例えば、ＰＤＦファイルなどの所定のファイル形式の画像ファイルを作成するようにしても良い。この場合、フォーマット変換部１１６は、出力対象画像に対するカラー判定結果をヘッダ情報などの書誌情報に含ませても良い。これにより、スキャナ配信処理において、外部装置であるＰＣ６３がこの画像ファイルを受信してこれを用いて転写紙に出力を行う場合には、当該ヘッダ情報に含まれるカラー判定結果を用いて、出力を行うことができる。即ち、画像データを再利用する場合として、スキャナ配信処理により受信された画像ファイルを用いて転写紙に出力する場合に、処理コストや処理時間を低減したり、ＰＣ６３の記憶装置における記憶容量を節約したりすることができる。
【図面の簡単な説明】
【００６７】
【図１】一実施の形態にかかる画像形成装置の構成を例示する図である。
【図２】同実施の形態にかかる第１画像処理装置５２の詳細な構成を例示する図である。
【図３】原稿画像を例示する図である。
【図４】図３に例示した原稿画像を細分化した状態を例示する図である。
【図５】基準チャート示す図である。
【図６】同実施の形態にかかる第２画像処理装置６６の構成を例示する図である。
【図７】同実施の形態にかかる画像形成装置５０の行うコピー処理の手順を示すフローチャートである。
【図８】変倍率が200％である場合に出力対象画像に含まれる判定領域を例示する図である。
【図９】変倍率が141％である場合に出力対象画像に含まれる判定領域を例示する図である。
【図１０】変倍率が200％である場合に出力される画像を例示する図である。
【図１１】変倍率が141％である場合に出力される画像を例示する図である。
【図１２】同実施の形態にかかる画像形成装置５０が行うスキャナ配信処理の手順を示すフローチャートである。
【図１３】同実施の形態にかかる画像形成装置５０が、コピー処理やスキャナ配信処理を行うことなく、画像蓄積処理のみを行う場合の処理の手順を示すフローチャートである。
【図１４】同実施の形態にかかる画像形成装置５０がコピー処理と画像蓄積処理とを同時に行う場合の処理の手順を示すフローチャートである。
【図１５】同実施の形態にかかる画像形成装置５０がスキャナ配信処理と画像蓄積処理とを同時に行う場合の処理の手順を示すフローチャートである。
【図１６】同実施の形態にかかる画像形成装置５０が再利用処理として転写紙に画像を出力する処理を行う場合の処理の手順を示すフローチャートである。
【図１７】同実施の形態にかかる画像形成装置５０が再利用処理としてスキャナ配信処理を行う場合の手順を示すフローチャートである。
【図１８】200％、141％、115％及び100％の各変倍率に対応する判定領域を例示する図である。
【図１９】変倍率が115％である場合に出力される画像を例示する図である。
【符号の説明】
【００６８】
５０  画像形成装置
５１  読み取り装置
５２  第１画像処理装置
５４  メモリ
５５  プロッタＩ／Ｆ装置
５６  プロッタ装置
５７  操作表示装置
５８  回線Ｉ／Ｆ装置
５９  外部Ｉ／Ｆ装置
６５  外部メディア
６６  第２画像処置装置
６７  バス制御装置
６８  ＨＤＤ
１００  カラー判定部
１０１  像域分離部
１０２  γ変換部
１０３  フィルタ処理部
１０４  色変換部
１０５  画像圧縮部
１１０  画像伸張部
１１１  フィルタ処理部
１１２  色変換部
１１３  解像度変換部
１１４  変換部
１１５  中間調処理部
１１６  フォーマット変換部
【図１】
2010016703.tif 000003
【図２】
2010016703.tif 000004
【図３】
2010016703.tif 000005
【図４】
2010016703.tif 000006
【図５】
2010016703.tif 000007
【図６】
2010016703.tif 000008
【図７】
2010016703.tif 000009
【図８】
2010016703.tif 000010
【図９】
2010016703.tif 000011
【図１０】
2010016703.tif 000012
【図１１】
2010016703.tif 000013
【図１２】
2010016703.tif 000014
【図１３】
2010016703.tif 000015
【図１４】
2010016703.tif 000016
【図１５】
2010016703.tif 000017
【図１６】
2010016703.tif 000018
【図１７】
2010016703.tif 000019
【図１８】
2010016703.tif 000020
【図１９】
2010016703.tif 000021